(57)【要約】【課題】装置の大型化や複雑化、あるいは装置コストの上昇を抑え、所定面を効率良く照明できる照明装置を提供する。【解決手段】照明装置１は、入射された複数のレーザ光Ｌ１を集光する集光光学系３と、集光光学系３で集光された光を拡散して拡散光Ｌ２を生成する拡散光学素子４とを備え、拡散光Ｌ２で第１面１１を照明する。【選択図】図１
2011100739.tif 000002
【特許請求の範囲】
【請求項１】
レーザ光を射出する複数のレーザ光源装置と、
前記複数のレーザ光源装置のそれぞれから射出されたレーザ光が入射されるとともに、該入射された複数のレーザ光を集光する集光光学系と、
前記集光光学系で集光された光を拡散して拡散光を生成する拡散光学素子とを備え、
前記拡散光で第１面を照明する照明装置。
【請求項２】
前記集光光学系は疑似的な点光源を生成する請求項１記載の照明装置。
【請求項３】
前記拡散光学素子は前記集光光学系のほぼ焦点位置に設けられている請求項１又は２記載の照明装置。
【請求項４】
前記拡散光学素子は照射された光を散乱する散乱部材を含む請求項１〜３のいずれか一項記載の照明装置。
【請求項５】
前記拡散光学素子は回折光学素子を含み、前記回折光学素子は前記第１面上での照明領域を設定する請求項１〜３のいずれか一項記載の照明装置。
【請求項６】
前記拡散光学素子と前記第１面との間に設けられ、前記拡散光学素子で生成された拡散光を平行化する平行化光学系を備えた請求項１〜５のいずれか一項記載の照明装置。
【請求項７】
前記平行化光学系は光軸に対して回転対称な軸対象レンズを含む請求項６記載の照明装置。
【請求項８】
前記平行化光学系はシリンドリカルレンズを含み、前記シリンドリカルレンズは前記第１面上での照明領域を設定し、レンズ作用を有する曲面の接線どうしが互いに交差するように前記シリンドリカルレンズが複数設けられている請求項６記載の照明装置。
【請求項９】
前記第１面上での照明領域を設定する照明領域設定光学系を備えた請求項１〜８のいずれか一項記載の照明装置。
【請求項１０】
前記複数のレーザ光源装置はアレイ状に配置されている請求項１〜９のいずれか一項記載の照明装置。
【請求項１１】
請求項１〜請求項１０のいずれか一項記載の照明装置で照明され、前記第１面を介した光により画像を表示する画像表示装置。
【請求項１２】
前記第１面は照明された光を画像信号に応じて光変調する空間光変調装置の入射面を含む請求項１１記載の画像表示装置。
【請求項１３】
請求項１１又は請求項１２記載の画像表示装置を含み、前記第１面を介した画像情報を含む光を第２面上に投射する投射系を備えたプロジェクタ。
【発明の詳細な説明】
【技術分野】
【０００１】
本発明は、照明装置及び画像表示装置、並びにプロジェクタに関するものである。
【背景技術】
【０００２】
液晶装置等の空間光変調装置で生成された画像情報を含む色光を投射系を用いてスクリーン上に投射する投射型画像表示装置（プロジェクタ）において、光源にレーザを用いる技術が提案されている。
【先行技術文献】
【特許文献】
【０００３】
【特許文献１】特開平１１−６４７８９号公報
【特許文献２】特開２０００−１６２５４８号公報
【発明の概要】
【発明が解決しようとする課題】
【０００４】
レーザ光により空間光変調装置の入射面を均一な照度分布で照明するために所定の光学系を用いる場合、光学系の構成によっては、装置の大型化や複雑化、あるいは装置コストの上昇を招く可能性がある。また、光学系の構成によっては、光利用効率等の低下を招く可能性がある。
【０００５】
本発明は上記事情に鑑みてなされたもので、装置の大型化や複雑化、あるいは装置コストの上昇を抑え、所定面を効率良く照明できる照明装置を提供することを目的とする。また、照明装置で照明された光を用いて画像を表示する画像表示装置、並びにプロジェクタを提供することを目的とする。
【課題を解決するための手段】
【０００６】
上記の課題を解決するため、本発明は以下の構成を採用する。
【０００７】
本発明の第１の観点によると、レーザ光を射出する複数のレーザ光源装置と、前記複数のレーザ光源装置のそれぞれから射出されたレーザ光が入射されるとともに、該入射された複数のレーザ光を集光する集光光学系と、前記集光光学系で集光された光を拡散して拡散光を生成する拡散光学素子とを備え、前記拡散光で第１面を照明する照明装置が提供される。
【０００８】
本発明によれば、装置の大型化や複雑化、あるいは装置コストの上昇を抑え、第１面を高い照度で効率良く照明することができる。また、スペックルパターンの発生を抑え、第１面をほぼ均一な照度分布で照明することができる。
【０００９】
本発明の照明装置において、前記集光光学系は疑似的な点光源を生成する構成を採用することができる。これにより、エテンデュを小さくすることができ、簡易な構成で照明領域を良好に照明することができる。ここで、エテンデュとは、有効に活用できる光束が存在する空間的な広がりを面積と立体角の積で表される数値であって、光学的に保存されるものである。
【００１０】
本発明の照明装置において、前記拡散光学素子は前記集光光学系のほぼ焦点位置に設けられている構成を採用することができる。これにより、点光源化された光を効率良く拡散することができる。
【００１１】
本発明の照明装置において、前記集光光学系は屈折レンズを含む構成を採用することができるし、回折光学素子を含む構成を採用することもできる。
【００１２】
本発明の照明装置において、前記拡散光学素子は照射された光を散乱する散乱部材を含む構成を採用することができる。前記散乱部材は、光を透過する基材と、前記基材上の微粒子とを有する構成を採用することができるし、前記散乱部材は粗面を有する光学部材を含む構成を採用することもできる。あるいは、前記拡散光学素子は回折光学素子を含む構成を採用することができる。
【００１３】
本発明の照明装置において、前記回折光学素子は前記第１面上での照明領域を設定する構成を採用することができる。これにより、照明領域を効率良く照明することができる。
【００１４】
本発明の照明装置において、前記拡散光学素子と前記第１面との間に設けられ、前記拡散光学素子で生成された拡散光を平行化する平行化光学系を備えた構成を採用することができる。これにより、第１面に対する光の入射角度を小さくすることができ、第１面を効率良く照明することができる。
【００１５】
本発明の照明装置において、前記平行化光学系は光軸に対して回転対称な軸対象レンズを含む構成を採用することができる。これにより、照明装置の部品点数を抑えて、光を良好に平行化することができる。
【００１６】
本発明の照明装置において、前記平行化光学系はシリンドリカルレンズを含む構成を採用することができる。これにより、光を良好に平行化することができる。
【００１７】
本発明の照明装置において、前記シリンドリカルレンズは前記第１面上での照明領域を設定する構成を採用することができる。これにより、照明領域を効率良く照明することができる。
【００１８】
本発明の照明装置において、レンズ作用を有する曲面の接線どうしが互いに交差するように前記シリンドリカルレンズが複数設けられている構成を採用することができる。これにより、照明領域を矩形状など所定の形状に設定することができる。
【００１９】
本発明の照明装置において、前記第１面上での照明領域を設定する照明領域設定光学系を備えた構成を採用することができる。これにより、照明領域を効率良く照明することができる。
【００２０】
本発明の照明装置において、前記照明領域設定光学系は回折光学素子を含む構成を採用することができるし、シリンドリカルレンズを含む構成を採用することもできる。
【００２１】
本発明の照明装置において、前記複数のレーザ光源装置はアレイ状に配置されている構成を採用することができる。これにより、第１面を高い照度で効率良く照明することができる。
【００２２】
本発明の照明装置において、前記第１面は画像情報を含む構成を採用することができる。これにより、第１面を照明した光により画像を表示することができる。
【００２３】
本発明の第２の観点によると、上記記載の照明装置で照明され、前記第１面を介した光により画像を表示する画像表示装置が提供される。
【００２４】
本発明によれば、装置の大型化や複雑化、あるいは装置コストの上昇を抑え、高輝度で良好な画像を形成することができる。
【００２５】
本発明の画像表示装置において、前記第１面は照明された光を画像信号に応じて光変調する空間光変調装置の入射面を含む構成を採用することができる。前記空間光変調装置は液晶装置を含む構成を採用することができる。これにより、所望の画像を表示することができる。
【００２６】
本発明の第３の観点によると、上記記載の画像表示装置を含み、前記第１面を介した画像情報を含む光を第２面上に投射する投射系を備えたプロジェクタが提供される。
【００２７】
本発明によれば、装置の大型化や複雑化、あるいは装置コストの上昇を抑え、高輝度で良好な画像を形成することができる。
【図面の簡単な説明】
【００２８】
【図１】第１実施形態に係る照明装置の概略構成を示す斜視図である。
【図２】拡散光学素子の一例を示す模式図である。
【図３】拡散光学素子の一例を示す模式図である。
【図４】第１実施形態に係る照明装置を備えた画像表示装置を示す概略構成図である。
【図５】第２実施形態に係る照明装置の概略構成を示す斜視図である。
【図６】第３実施形態に係る照明装置の概略構成を示す斜視図である。
【図７】回折光学素子の一例を説明するための模式図である。
【図８】回折光学素子の一例を説明するための模式図である。
【図９】回折光学素子の製造方法の一例を説明するための模式図である。
【図１０】第３実施形態に係る照明装置で照明された第１面を示す図である。
【図１１】第４実施形態に係る照明装置の概略構成を示す斜視図である。
【図１２】第５実施形態に係る照明装置の概略構成を示す斜視図である。
【図１３】第６実施形態に係る照明装置の概略構成を示す斜視図である。
【図１４】第７実施形態に係る画像表示装置の概略構成を示す図である。
【発明を実施するための形態】
【００２９】
以下、本発明の実施形態について図面を参照しながら説明する。なお、以下の説明においては、必要に応じてＸＹＺ直交座標系を設定し、このＸＹＺ直交座標系を参照しつつ各部材の位置関係について説明する。
【００３０】
＜第１実施形態＞
第１実施形態について説明する。図１は第１実施形態に係る照明装置を示す概略構成図である。図１において、照明装置１は、所定部材１０の第１面１１を照明するものであって、レーザ光Ｌ１を射出する複数のレーザ光源装置２と、複数のレーザ光源装置２のそれぞれから射出されたレーザ光Ｌ１が入射されるとともに、その入射された複数のレーザ光Ｌ１を集光する集光光学系３と、集光光学系３で集光された光を拡散して拡散光Ｌ２を生成する拡散光学素子４とを備えており、拡散光Ｌ２によって第１面１１を照明する。拡散光学素子４と第１面１１との間には、拡散光学素子４で生成された拡散光Ｌ２を平行化する平行化光学系５が設けられており、照明装置１は、平行化光学系５で平行化された拡散光Ｌ２で第１面１１を照明する。
【００３１】
複数のレーザ光源装置２はアレイ状に配置されている。図１に示す例では、複数のレーザ光源装置２は一次元方向（Ｘ軸方向）に複数並んで設けられている。レーザ光源装置２の光射出面は＋Ｚ側を向いており、各レーザ光源装置２は＋Ｚ方向に向けてレーザ光Ｌ１を射出する。
【００３２】
集光光学系３は、屈折レンズ等の幾何光学的レンズを含んで構成されており、入射された複数のレーザ光Ｌ１を集光し、その焦点位置で擬似的な点光源を生成する。なお、集光光学系３として、フレネルレンズを用いてもよい。
【００３３】
拡散光学素子４は、集光光学系３で集光された光を拡散して拡散光Ｌ２を生成するものであり、集光光学系３のほぼ焦点位置に設けられている。本実施形態においては、拡散光学素子４は、照射された光を散乱する散乱部材を含む。
【００３４】
図２は散乱部材（拡散光学素子）４の一例を示す図である。散乱部材４は、光を透過する基材４Ａと、基材４Ａ上の微粒子４Ｂとを有している。光を透過する基材４Ａは、例えば透明の合成樹脂製のフィルム状部材、あるいは石英などのガラス製の板状部材により構成されている。そして、その基材４Ａ上に、屈折率が互いに異なる複数の微粒子４Ｂがバインダ４Ｃを介して接着されている。散乱部材４に照射された光は、散乱部材４を通過することにより、拡散光（散乱光）に変換される。
【００３５】
図３は散乱部材（拡散光学素子）４の別の例を示す図である。散乱部材４は、粗面を有する光学部材４Ｄによって構成されている。光学部材４Ｄは、例えば光を透過可能な石英などのガラス製の板状部材により構成されている。散乱部材４に照射された光は、散乱部材４を通過することにより、拡散光（散乱光）に変換される。
【００３６】
図１に戻って、平行化光学系５は、拡散光学素子４で生成された拡散光Ｌ２を平行化するものであって、例えば球面レンズ、又は非球面レンズ等の光軸に対して回転対称な軸対象レンズを含んで構成されている。
【００３７】
図４は本実施形態に係る照明装置１（１Ｒ、１Ｇ、１Ｂ）を備えた画像表示装置を示す概略構成図である。本実施形態においては、画像表示装置として、空間光変調装置で生成された画像情報を含む色光を投射系を介してスクリーン上に投射する投射型画像表示装置（プロジェクタ）を例にして説明する。
【００３８】
図４において、投射型画像表示装置ＰＪは、スクリーン１００（第２面）上に画像情報を含む光を投射する投射ユニットＵを備えている。投射ユニットＵからスクリーン１００に対して光が投射されることにより、スクリーン１００上に画像が形成される。本実施形態の投射型画像表示装置ＰＪは、スクリーン１００を透過型のスクリーンとし、スクリーン１００の正面側からスクリーン１００上に画像情報を含む光を投射する。
【００３９】
投射ユニットＵは、第１の基本色光（赤色光）で第１面を照明可能な第１照明装置１Ｒと、第２の基本色光（緑色光）で第１面を照明可能な第２照明装置１Ｇと、第３の基本色光（青色光）で第１面を照明可能な第３照明装置１Ｂと、第１照明装置１Ｒで照明される入射面（第１面）１１を有し、照明された光を画像情報に応じて光変調する第１空間光変調装置１０Ｒと、第２照明装置１Ｇで照明される入射面（第１面）１１を有し、照明された光を画像情報に応じて光変調する第２空間光変調装置１０Ｇと、第３照明装置１Ｂで照明される入射面（第１面）１１を有し、照明された光を画像情報に応じて光変調する第３空間光変調装置１０Ｂと、空間光変調装置１０Ｒ、１０Ｇ、１０Ｂにより変調された各基本色光を合成する色合成系１２と、色合成系１２で生成された光をスクリーン１００上に投射する投射系１３とを備えている。空間光変調装置１０Ｒ、１０Ｇ、１０Ｂのそれぞれは液晶装置を含んで構成されている。以下の説明においては、空間光変調装置を適宜、ライトバルブ、と称する。
【００４０】
ライトバルブは、入射側偏光板と、一対のガラス基板どうしの間に封入された液晶を有するパネルと、射出側偏光板とを備えている。ガラス基板には画素電極や配向膜が設けられている。空間光変調装置を構成するライトバルブは、定められた振動方向の光のみを透過させるようになっており、ライトバルブに入射した基本色光は、ライトバルブを通過することによって光変調される。
【００４１】
第１照明装置１Ｒの複数のレーザ光源装置２は、赤色（Ｒ）のレーザ光をそれぞれ射出する。第１照明装置１Ｒは、複数の赤色のレーザ光を集光光学系３で集光した後、拡散光学素子４により拡散光を生成し、その生成された拡散光で第１ライトバルブ１０Ｒの入射面１１を照明する。
【００４２】
第２照明装置１Ｇの複数のレーザ光源装置２は、緑色（Ｇ）のレーザ光をそれぞれ射出する。第２照明装置１Ｇは、複数の緑色のレーザ光を集光光学系３で集光した後、拡散光学素子４により拡散光を生成し、その生成された拡散光で第２ライトバルブ１０Ｇの入射面１１を照明する。
【００４３】
第３照明装置１Ｂの複数のレーザ光源装置２は、青色（Ｂ）のレーザ光をそれぞれ射出する。第３照明装置１Ｂは、複数の青色のレーザ光を集光光学系３で集光した後、拡散光学素子４により拡散光を生成し、その生成された拡散光で第３ライトバルブ１０Ｂの入射面１１を照明する。
【００４４】
各ライトバルブ１０Ｒ、１０Ｇ、１０Ｂを通過することで変調された各基本色光（変調光）は、色合成系１２で合成される。色合成系１２はダイクロイックプリズムによって構成されており、赤色光（Ｒ）、緑色光（Ｇ）、及び青色光（Ｂ）は色合成系１２で合成されてフルカラー合成光となる。色合成系１２から射出されたフルカラー合成光は投射系１３に供給される。投射系１３はフルカラー合成光をスクリーン１００上に投射する。投射系１３は、入射側の画像を拡大してスクリーン１００上に投射する所謂拡大系である。
【００４５】
投射ユニットＵは、各照明装置１Ｒ、１Ｇ、１Ｂのそれぞれで照明された各ライトバルブ１０Ｒ、１０Ｇ、１０Ｂを介した画像情報を含むフルカラー合成光を投射系１３を用いてスクリーン１００上に投射することによって、スクリーン１００上にフルカラーの画像を形成する。鑑賞者は、投射ユニットＵによりスクリーン１００に対して投射された画像を鑑賞する。
【００４６】
以上説明したように、本実施形態の照明装置１によれば、装置の大型化や複雑化、あるいは装置コストの上昇を抑え、第１面（ライトバルブの入射面）１１を均一な照度分布で効率良く照明することができる。すなわち、レーザ光源装置から射出されたレーザ光を用いて第１面を均一な照度分布で照明するために、例えばロッドインテグレータやフライアイレンズ等の光学系を用いた場合、部品点数の増大や光学系の複雑化を招き、装置全体の大型化、複雑化を招く虞がある。また、部品点数の増大やロッドインテグレータ等の高価な部品の使用により装置コストの上昇を招く虞もある。更には、各光学素子の界面より発生するフレネル反射損失等、光利用効率等の低下を招く虞もある。本実施形態では、比較的安価な光学素子を用い、しかもその部品点数が抑えられているので、装置の大型化や複雑化、あるいは装置コストの上昇を抑え、第１面１１を効率良く照明することができる。また、複数のレーザ光源装置２を備えているので、第１面１１上での光量（照度）を増大することができる。そして、その照明装置１で照明された第１面（ライトバルブの入射面）１１を介した光により画像を表示することにより、画像の高輝度化、高コントラスト化を実現することができる。
【００４７】
また、光源としてレーザ光源装置を用いているので、偏光された光を射出することができ、光源として例えば超高圧水銀ランプ等の白色光源を用いる構成に比べて、偏光分離素子（偏光ビームスプリッタ）や、色分離素子（ダイクロイックミラー）等の部品を省略することができる。また、狭波長帯域のレーザ光（基本色光）を射出するので、そのレーザ光を用いて画像を表示する際、良好な色再現性を得ることができる。また、液晶装置（ライトバルブ）には紫外光が照射されないので、ライトバルブの劣化を抑制することもできる。
【００４８】
また、本実施形態においては、照明装置１は複数のレーザ光源装置２を備えているので、スペックルパターンの発生を抑えることもできる。スペックルパターンとは、レーザ光のようなコヒーレント光で粗面や不均質な媒質を含む散乱面を照射し、その散乱光（拡散光）を観察したとき、空間に生じるコントラストの高い斑点状の模様をいう。散乱面の各点で発生した散乱光（拡散光）は、互いにランダムな位相関係で干渉し、その結果複雑な干渉パターンを生じ、第１面１１を不均一な照度分布で照明する可能性がある。本実施形態では、照明装置１は複数のレーザ光源装置２を備えており、それら複数のレーザ光源装置２のそれぞれから射出されたレーザ光は互いにインコヒーレントであるため、互いに異なる照度分布（輝度分布）を持つ光で第１面１１を照明することとなる。そのため、それら各レーザ光に基づく拡散光を第１面１１上で重ね合わせることにより、見た目上のスペックルパターンを低減し、第１面１１上での照度分布をほぼ均一にすることができる。したがって、画像表示装置ＰＪは、輝度むら（照度むら）が小さい画像を表示することができる。
【００４９】
また、本実施形態の照明装置１は、集光光学系３で疑似的な点光源を生成している。これにより、エテンデュを小さくすることができ、簡易な構成で第１面（ライトバルブの入射面）１１を良好に照明することができる。エテンデュとは、有効に活用できる光束が存在する空間的な広がりを面積と立体角の積で表される数値であって、光学的に保存されるものである。ライトバルブが小型化され、そのライトバルブのエテンデュが小さくなると、光源のエテンデュも同等以下にする必要がある。本実施形態の照明装置１は、集光光学系３により、複数のレーザ光から小さい光源（点光源）を生成することができる。また、本実施形態では、直進性の高いレーザ光を用いており、複数のレーザ光から理想的な点光源を生成することができる。
【００５０】
また、本実施形態の照明装置１は、拡散光学素子４と第１面１１との間に平行化光学系５を備えているので、例えば、第１面１１を垂直照明することができるなど、第１面１１に対する光の入射角度を小さくすることができ、第１面１１を効率良く照明することができる。そして、平行化光学系１１として、光軸に対して回転対称な軸対象レンズを採用することにより、照明装置１１の部品点数を抑えることができる。
【００５１】
＜第２実施形態＞
第２実施形態について説明する。以下の説明において、上述の実施形態と同一又は同等の構成部分については同一の符号を付し、その説明を簡略若しくは省略する。
【００５２】
図５は第２実施形態に係る照明装置１を示す図である。図５において、照明装置１は複数のレーザ光源装置２を備えている。複数のレーザ光源装置２はアレイ状に配置されており、本実施形態においては、二次元方向（ＸＹ方向）に複数並んで設けられている。レーザ光源装置２の光射出面は＋Ｚ側を向いており、各レーザ光源装置２は＋Ｚ方向に向けてレーザ光Ｌ１を射出する。各レーザ光源装置２から射出されたレーザ光Ｌ１は、集光光学系３で集光された後、拡散光学素子４により拡散され、平行化光学系５で平行化された後、第１面１１に照明される。
【００５３】
このように、レーザ光源装置２の光射出面を二次元方向に配置してもよい。こうすることにより、光量を増大することができ、高い照度で第１面１１を照明することができる。そして、この照明装置１によって、画像情報を含む第１面（ライトバルブの入射面を含む）１１を照明することにより、画像表示装置ＰＪは、高輝度な画像を表示することができる。
【００５４】
＜第３実施形態＞
第３実施形態について説明する。本実施形態の特徴的な部分は、拡散光学素子４として回折光学素子を用いた点にある。
【００５５】
図６は第３実施形態に係る照明装置１を示す図である。図６において、照明装置１は、複数のレーザ光源装置２と、複数のレーザ光源装置２のそれぞれから射出されたレーザ光Ｌ１が入射されるとともに、その入射された複数のレーザ光Ｌ１を集光する集光光学系３と、集光光学系３で集光された光を拡散して拡散光Ｌ２を生成する回折光学素子４Ｋを含む拡散光学素子４とを備えている。回折光学素子４Ｋは支持部材４Ｂに支持されている。拡散光学素子４と第１面１１との間には平行化光学系５が設けられている。
【００５６】
図７は回折光学素子４Ｋの一例を示す模式図であって、図７（Ａ）は平面図、図７（Ｂ）は図７（Ａ）のＡ−Ａ線断面矢視図である。図７に示す回折光学素子は、その表面に複数の矩形状の凹部（凹凸構造）４Ｍを有している。凹部４Ｍは互いに異なる深さを有している。また、凹部４Ｍどうしの間の複数の凸部も互いに異なる高さを有している。そして、凹部４Ｍどうしのピッチｄ及び凹部４Ｍの深さｔ（凸部の高さ）を含む回折光学素子４Ｋの表面条件を適宜調整することにより、この回折光学素子４Ｋに照射された光を拡散させることができる。換言すれば、凹部４Ｍどうしのピッチｄ及び凹部４Ｍの深さｔを含む表面条件を最適化することにより、回折光学素子４Ｋに拡散光学素子としての機能を持たせることができる。また、凹部４Ｍどうしのピッチｄや凹部４Ｍの深さｔの値を回折光学素子４Ｋの表面の複数の領域毎にそれぞれ異ならせる場合には、回折光学素子４Ｋの表面条件には、形成される凹部４Ｍどうしのピッチｄの分布や、凹部４Ｍの深さｔの分布も含まれる。凹部４Ｍどうしのピッチｄ及び凹部４Ｍの深さｔを含む表面条件を最適化する設計手法としては、例えば反復フーリエ法など、所定の演算手法（シミュレーション手法）が挙げられる。そして、回折光学素子４Ｋの表面条件を最適化することで、所望の機能（拡散光生成機能）を有する回折光学素子４Ｋを形成することができる。
【００５７】
なお、回折光学素子４Ｋとしては、矩形の凹部４Ｍを有するものに限られず、互いに異なる方向を向く平面を組み合わせた表面を有する回折光学素子であってもよい。例えば、回折光学素子４Ｋとしては、図８に示すような、斜面を有する三角形状の凹部を有するものであってもよい。また、回折光学素子４Ｋとしては、図７に示したような矩形状の凹部を有する領域と、図８に示したような三角形状の凹部を有する領域とのそれぞれを有するものであってもよい。そして、その表面条件を最適化することにより、所望の機能を有する回折光学素子４Ｋを形成することができる。
【００５８】
ここで、図９を参照しながら、回折光学素子４Ｋの製造方法の一例について説明する。図９（Ａ）に示すように、石英基板上にレジストを塗布した後、電子ビーム描画装置によりレジストに電子ビームを照射し、このレジストをパターニングする。次いで、エッチング処理することにより、図９（Ｂ）に示すように、石英からなるモールド（型）を形成する。そして、合成樹脂製のフィルム状部材など、回折光学素子を形成するための基板とモールドとを、基板のガラス転移温度以上に加熱する。次いで、図９（Ｃ）に示すように、基板とモールドとを押し付け、一定時間保持する。その後、基板とモールドとを、基板のガラス転移温度以下に冷却し、基板とモールドとを離す。これにより、図９（Ｄ）に示すように、所望の形状を有する合成樹脂製の回折光学素子が形成される。このように、本実施形態では、モールド（型）を形成した後、そのモールドの形状を基板に熱転写する、所謂ナノインプリントの手法により、回折光学素子を形成する。
【００５９】
なお、ここで説明した回折光学素子の製造方法は一例であり、所望の形状を有する回折光学素子を製造できるのであれば、任意の手法を用いることができる。
【００６０】
図１０は回折光学素子４Ｋを含む照明装置１で照明された第１面１１を示す模式図である。図１０に示すように、回折光学素子４Ｋを含む照明装置１は、第１面１１上での照明領域ＬＡを設定することができる。具体的には、回折光学素子４Ｋを含む照明装置１は、第１面１１上での照明領域ＬＡの大きさ及び形状の少なくとも一方を設定することができる。本実施形態では、回折光学素子４Ｋを含む照明装置１は、照明領域ＬＡを矩形状（長方形状）に設定する。本実施形態の第１面（ライトバルブの入射面）１１は矩形状であり、回折光学素子４Ｋを含む照明装置１は、第１面（ライトバルブの入射面）１１に応じた照明領域ＬＡを設定する。照明領域ＬＡの大きさ及び形状は、回折光学素子４Ｋの表面条件（凹部４Ｍどうしのピッチｄ、凹部４Ｍの深さｔなど）を適宜調整することにより設定可能である。換言すれば、凹部４Ｍどうしのピッチｄ及び凹部４Ｍの深さｔを含む表面条件を最適化することにより、回折光学素子４Ｋに照明領域設定光学系としての機能を持たせることができる。回折光学素子４Ｋの表面条件を最適化する設計手法としては、上述の反復フーリエ法など、所定の演算手法が挙げられる。そして、回折光学素子４Ｋの表面条件を最適化することで、所望の機能（照明領域設定機能）を有する回折光学素子４Ｋを形成することができる。
【００６１】
すなわち、本実施形態の回折光学素子４Ｋは、拡散光生成機能と照明領域設定機能との双方を有しており、それらの機能を有するように、凹部４Ｍどうしのピッチｄ及び凹部４Ｍの深さｔを含む表面条件が最適化されている。
【００６２】
なお、本実施形態では、回折光学素子４Ｋは、照明領域ＬＡを矩形状に設定しているが、凹部４Ｍどうしのピッチｄ及び凹部４Ｍの深さｔを含む表面条件を最適化することにより、例えば照明領域ＬＡをライン状や円形状など、任意の形状に設定することができる。
【００６３】
以上説明したように、拡散光学素子４として回折光学素子４Ｋを用いることができる。そして、回折光学素子４Ｋは第１面１１上での照明領域ＬＡを設定することができるので、照明領域ＬＡを効率良く照明することができる。すなわち、例えば拡散光学素子４としてレンズ等を用いた場合、照明領域ＬＡの形状と第１面１１の形状とが異なる状況が生じる可能性がある。すなわち、例えば第１面１１が矩形状であるのに対して、レンズを介して第１面１１を照明したときの照明領域ＬＡが円形状となる可能性がある。この場合、光の漏洩を抑えつつ、第１面１１を照明するためには、円形状の照明領域ＬＡを拡大するとともに、遮光部材等を用いて、照明領域ＬＡを整形する必要がある。この場合、光利用効率が低下する。本実施形態では、回折光学素子４Ｋを用いて照明領域ＬＡを設定することにより、回折光学素子４Ｋで生成した光のほぼ全てを第１面１１に照射することができ、光利用効率を向上することができる。
【００６４】
また、図９等を参照して説明したように、回折光学素子４Ｋはナノインプリントの手法で製造することができるため、回折光学素子を容易に大量に製造することができ、製造コストを低減することができる。
【００６５】
＜第４実施形態＞
第４実施形態について説明する。本実施形態の特徴的な部分は、集光光学系３として回折光学素子を用いた点にある。
【００６６】
図１１は第４実施形態に係る照明装置１を示す図である。図１１において、照明装置１は、複数のレーザ光源装置２と、複数のレーザ光源装置２のそれぞれから射出されたレーザ光Ｌ１が入射されるとともに、その入射された複数のレーザ光Ｌ１を集光する回折光学素子３Ｋを含む集光光学系３と、集光光学系３で集光された光を拡散して拡散光Ｌ２を生成する拡散光学素子４とを備えている。回折光学素子３Ｋは支持部材３Ｂに支持されている。拡散光学素子４と第１面１１との間には平行化光学系５が設けられている。
【００６７】
回折光学素子３Ｋは、複数のレーザ光源装置２のそれぞれに対応するように複数設けられている。図１１に示す例では、複数のレーザ光源装置２は一次元方向（Ｘ軸方向）に複数並んで設けられており、回折光学素子３Ｋは、それら複数のレーザ光源装置２に対応するように、支持部材３Ｂ上で一次元方向（Ｘ軸方向）に複数並んで設けられている。そして、複数の回折光学素子３Ｋのそれぞれは、複数のレーザ光源装置２の位置及び特性等に応じて最適化されている。すなわち、複数の回折光学素子３Ｋのそれぞれは、複数のレーザ光源装置２のそれぞれから射出されたレーザ光Ｌ１で擬似的な点光源を形成できるように（拡散光学素子４の所定位置に集光できるように）、その表面条件（凹部どうしのピッチ及び凹部の深さを含む）が最適化されている。回折光学素子３Ｋそれぞれの表面条件を最適化する設計手法としては、上述の反復フーリエ法など、所定の演算手法が挙げられる。そして、回折光学素子３Ｋの表面条件を最適化することで、所望の機能（集光機能）を有する回折光学素子３Ｋを形成することができる。
【００６８】
本実施形態の回折光学素子３Ｋもナノインプリントの手法で製造することができ、回折光学素子を容易に大量に製造することができ、製造コストを低減することができる。
【００６９】
＜第５実施形態＞
第５実施形態について説明する。本実施形態の特徴的な部分は、平行化光学系５としてシリンドリカルレンズを用いた点にある。
【００７０】
図１２は第５実施形態に係る照明装置１を示す図である。図１２において、照明装置１は、複数のレーザ光源装置２と、複数のレーザ光源装置２のそれぞれから射出されたレーザ光Ｌ１が入射されるとともに、その入射された複数のレーザ光Ｌ１を集光する集光光学系３と、集光光学系３で集光された光を拡散して拡散光Ｌ２を生成する拡散光学素子４とを備えている。拡散光学素子４と第１面１１との間にはシリンドリカルレンズ５Ａ、５Ｂを含む平行化光学系５が設けられている。
【００７１】
本実施形態においては、平行化光学系５は２つのシリンドリカルレンズ５Ａ、５Ｂを有している。２つのシリンドリカルレンズ５Ａ、５Ｂのうち、第１のシリンドリカルレンズ５Ａは、拡散光学素子４に近い位置に配置され、第２のシリンドリカルレンズ５Ｂは、第１のシリンドリカルレンズ５Ａと第１面１１との間に配置されている。そして、第１、第２のシリンドリカルレンズ５Ａ、５Ｂは、レンズ作用を有する接線どうしが互いに交差するように配置されている。すなわち、第１のシリンドリカルレンズ５Ａは、その長手方向がＹ軸方向と平行になるように配置され、第２のシリンドリカルレンズ５Ｂは、その長手方向がＸ軸方向と平行になるように配置されている。拡散光学素子４で生成された拡散光Ｌ２は、シリンドリカルレンズ５Ａ、５Ｂを通過することで、平行化される。
【００７２】
第１、第２のシリンドリカルレンズ５Ａ、５Ｂを含む照明装置１は、第１面１１上での照明領域ＬＡを設定することができる。具体的には、第１、第２のシリンドリカルレンズ５Ａ、５Ｂを含む照明装置１は、第１面１１上での照明領域ＬＡの大きさ及び形状の少なくとも一方を設定することができる。本実施形態では、第１、第２のシリンドリカルレンズ５Ａ、５Ｂを含む照明装置１は、照明領域ＬＡを矩形状（長方形状）に設定する。本実施形態の第１面（ライトバルブの入射面）１１は矩形状であり、第１、第２のシリンドリカルレンズ５Ａ、５Ｂを含む照明装置１は、第１面（ライトバルブの入射面）１１に応じた照明領域ＬＡを設定する。このように、シリンドリカルレンズ５Ａ、５Ｂを含む光学系は、照明領域設定光学系としての機能を有する。
【００７３】
以上説明したように、シリンドリカルレンズを用いて第１面１１上での照明領域ＬＡを設定することができ、照明領域ＬＡを効率良く照明することができる。また、シリンドリカルレンズを用いて、第１面１１に対する光の入射角度を小さくすることができる。
【００７４】
なお、第５実施形態においては、照明装置１は２つのシリンドリカルレンズ５Ａ、５Ｂを備えているが、図１２に示すように、レーザ光源装置２が１次元方向（Ｘ軸方向）に複数並んでいる構成の場合、シリンドリカルレンズが１つであっても、そのシリンドリカルレンズを用いて、拡散光学素子４で生成された拡散光Ｌ２を平行化するとともに、照明領域ＬＡを設定することができる。
【００７５】
＜第６実施形態＞
なお、上述の各実施形態における照明装置１は、レーザ光源装置２を複数備えているが、図１３に示すように、レーザ光源装置２を１つ備えた構成であってもよい。この場合、集光光学系を省略することができる。レーザ光源装置２から射出されたレーザ光Ｌ１は、拡散光学素子４に入射し、その拡散光学素子４で拡散されて拡散光Ｌ２に変換された後、平行化光学系５で平行化されて、第１面１１に照射される。
【００７６】
また、図１３の拡散光学素子４を回折光学素子で構成することにより、第１面１１上での照明領域ＬＡを設定することもできる。同様に、図１３の平行化光学系５をシリンドリカルレンズで構成することにより、第１面１１上での照明領域ＬＡを設定することができる。
【００７７】
なお、上述の第１〜第６実施形態においては、回折光学素子として透過型の回折光学素子のうち、位相変調型の回折光学素子を用いているが、振幅変調型の回折光学素子を用いることもできる。また、透過型の回折光学素子に限られず、反射型の回折光学素子を用いることもできる。また、例えば、透過型の回折光学素子と、反射型の回折光学素子とを組み合わせてもよい。そして、それら回折光学素子の表面条件を最適化することにより、その回折光学素子に所望の機能を持たせることができる。
【００７８】
なお上述の各実施形態においては、空間光変調装置として透過型の液晶装置（ライトバルブ）を用いているが、反射型の液晶装置を用いることもできるし、例えばＤＭＤ（Digital Micromirror Device）等の反射型光変調装置（ミラー変調器）を用いてもよい。
【００７９】
なお、上述の各実施形態では、スクリーン１００の正面側からスクリーン１００上に画像情報を含む光を投射するフロント投射型のプロジェクタを例にして説明したが、投射ユニットＵと、スクリーン１００と、筐体とを有し、投射ユニットＵがスクリーン１００の背面側に配置され、スクリーン１００の背面側からスクリーン１００上に画像情報を含む光を投射する所謂リアプロジェクタに、上述の各実施形態の照明装置１を適用することもできる。
【００８０】
なお、上述の実施形態のプロジェクタＰＪは、各基本色光（Ｒ、Ｇ、Ｂ）を射出可能なレーザ光源装置２をそれぞれ有する第１、第２、第３照明装置１Ｒ、１Ｇ、１Ｂを有しているが、赤色光（Ｒ）を射出する赤色レーザ光源装置、緑色光（Ｇ）を射出する緑色レーザ光源装置、及び青色光（Ｂ）を射出する青色レーザ光源装置をアレイ状に配置した構成を有する照明装置を１つ有する構成であってもよい。この場合、各基本色光を射出可能なレーザ光源装置のレーザ光射出動作を時分割で行い、その各レーザ光源装置のレーザ光射出動作に同期して、ライトバルブの動作を制御することにより、１つの照明装置及び１つのライトバルブでスクリーン１００上にフルカラー画像を表示することができる。
【００８１】
＜第７実施形態＞
なお、上述の各実施形態においては、照明装置１で空間光変調装置を照明し、その空間光変調装置を介した光によりスクリーン１００上に画像を表示しているが、画像表示装置（プロジェクタ）としては、空間光変調装置を有していなくてもよい。例えば図１４に示すような、画像情報を含むスライド（ポジフィルム）１０’の面１１’を照明装置１で照明し、スクリーン１００上に画像情報を含む光を投射する、所謂スライドプロジェクタに、上述の各実施形態の照明装置１を適用することも可能である。
【００８２】
また、画像表示装置としては、投射系を有さず空間光変調装置の画像を直接観察する直視型の画像表示装置であってもよい。
【符号の説明】
【００８３】
１…照明装置、２…レーザ光源装置、３…集光光学系、３Ｋ…回折光学素子、４…拡散光学素子、４Ａ…基材、４Ｂ…微粒子、４Ｄ…光学部材、４Ｋ…回折光学素子、５…平行化光学系、５Ａ、５Ｂ…シリンドリカルレンズ、１０…空間光変調装置、１１…第１面（入射面）、１００…スクリーン（第２面）、ＬＡ…照明領域、ＰＪ…画像表示装置（プロジェクタ）
【図１】
2011100739.tif 000003
【図２】
2011100739.tif 000004
【図３】
2011100739.tif 000005
【図４】
2011100739.tif 000006
【図５】
2011100739.tif 000007
【図６】
2011100739.tif 000008
【図７】
2011100739.tif 000009
【図８】
2011100739.tif 000010
【図９】
2011100739.tif 000011
【図１０】
2011100739.tif 000012
【図１１】
2011100739.tif 000013
【図１２】
2011100739.tif 000014
【図１３】
2011100739.tif 000015
【図１４】
2011100739.tif 000016
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
レーザ光を射出する複数のレーザ光源装置と、
前記複数のレーザ光源装置のそれぞれから射出されたレーザ光が入射されるとともに、該入射された複数のレーザ光を集光する集光光学系と、
前記集光光学系で集光された光を拡散して拡散光を生成する拡散光学素子とを備え、
前記拡散光で第１面を照明するものであり、
前記拡散光学素子は回折光学素子を含み、前記回折光学素子は前記第１面上での照明領域を設定する照明装置。
【請求項２】
前記集光光学系は疑似的な点光源を生成する請求項１記載の照明装置。
【請求項３】
前記拡散光学素子は前記集光光学系のほぼ焦点位置に設けられている請求項１又は２記載の照明装置。
【請求項４】
前記拡散光学素子は照射された光を散乱する散乱部材を含む請求項１〜３のいずれか一項記載の照明装置。
【請求項５】
前記拡散光学素子と前記第１面との間に設けられ、前記拡散光学素子で生成された拡散光を平行化する平行化光学系を備えた請求項１〜４のいずれか一項記載の照明装置。
【請求項６】
前記平行化光学系は光軸に対して回転対称な軸対象レンズを含む請求項５記載の照明装置。
【請求項７】
前記平行化光学系はシリンドリカルレンズを含み、前記シリンドリカルレンズは前記第１面上での照明領域を設定し、レンズ作用を有する曲面の接線どうしが互いに交差するように前記シリンドリカルレンズが複数設けられている請求項５記載の照明装置。
【請求項８】
前記第１面上での照明領域を設定する照明領域設定光学系を備えた請求項１〜７のいずれか一項記載の照明装置。
【請求項９】
前記複数のレーザ光源装置はアレイ状に配置されている請求項１〜８のいずれか一項記載の照明装置。
【請求項１０】
請求項１〜請求項９のいずれか一項記載の照明装置で照明され、前記第１面を介した光により画像を表示する画像表示装置。
【請求項１１】
前記第１面は照明された光を画像信号に応じて光変調する空間光変調装置の入射面を含む請求項１０記載の画像表示装置。
【請求項１２】
請求項１０又は請求項１１記載の画像表示装置を含み、前記第１面を介した画像情報を含む光を第２面上に投射する投射系を備えたプロジェクタ。
【手続補正２】
【補正対象書類名】明細書
【補正対象項目名】０００７
【補正方法】変更
【補正の内容】
【０００７】
本発明の第１の観点によると、レーザ光を射出する複数のレーザ光源装置と、前記複数のレーザ光源装置のそれぞれから射出されたレーザ光が入射されるとともに、該入射された複数のレーザ光を集光する集光光学系と、前記集光光学系で集光された光を拡散して拡散光を生成する拡散光学素子とを備え、前記拡散光で第１面を照明する照明装置が提供される。
また、本発明の一観点によると、レーザ光を射出する複数のレーザ光源装置と、前記複数のレーザ光源装置のそれぞれから射出されたレーザ光が入射されるとともに、該入射された複数のレーザ光を集光する集光光学系と、前記集光光学系で集光された光を拡散して拡散光を生成する拡散光学素子とを備え、前記拡散光で第１面を照明するものであり、
前記拡散光学素子は回折光学素子を含み、前記回折光学素子は前記第１面上での照明領域を設定する照明装置が提供される。
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
レーザ光を射出する複数のレーザ光源装置と、
前記複数のレーザ光源装置のそれぞれから射出されたレーザ光が入射されるとともに、該入射された複数のレーザ光を集光する集光光学系と、
前記集光光学系で集光された光を拡散して拡散光を生成する拡散光学素子とを備え、
前記拡散光で第１面を照明するものであり、
前記拡散光学素子は回折光学素子を含み、前記回折光学素子は前記第１面上での照明領域を設定する照明装置。
【請求項２】
前記集光光学系は疑似的な点光源を生成する請求項１記載の照明装置。
【請求項３】
前記拡散光学素子は前記集光光学系のほぼ焦点位置に設けられている請求項１又は２記載の照明装置。
【請求項４】
前記拡散光学素子は照射された光を散乱する散乱部材を含む請求項１〜３のいずれか一項記載の照明装置。
【請求項５】
前記拡散光学素子と前記第１面との間に設けられ、前記拡散光学素子で生成された拡散光を平行化する平行化光学系を備えた請求項１〜４のいずれか一項記載の照明装置。
【請求項６】
前記平行化光学系は光軸に対して回転対称な軸対象レンズを含む請求項５記載の照明装置。
【請求項７】
前記平行化光学系はシリンドリカルレンズを含み、前記シリンドリカルレンズは前記第１面上での照明領域を設定し、レンズ作用を有する曲面の接線どうしが互いに交差するように前記シリンドリカルレンズが複数設けられている請求項５記載の照明装置。
【請求項８】
前記回折光学素子は、前記第１面上での照明領域の大きさ及び形状を設定する請求項１〜７のいずれか一項記載の照明装置。
【請求項９】
前記複数のレーザ光源装置はアレイ状に配置されている請求項１〜８のいずれか一項記載の照明装置。
【請求項１０】
請求項１〜請求項９のいずれか一項記載の照明装置で照明され、前記第１面を介した光により画像を表示する画像表示装置。
【請求項１１】
前記第１面は照明された光を画像信号に応じて光変調する空間光変調装置の入射面を含む請求項１０記載の画像表示装置。
【請求項１２】
請求項１０又は請求項１１記載の画像表示装置を含み、前記第１面を介した画像情報を含む光を第２面上に投射する投射系を備えたプロジェクタ。